(57)【要約】【課題】  セキュアルームでのみ利用可能な機密情報を、印刷すると外に持ち出すことができてしまう。【解決手段】  セキュアルームで印刷する際に、電子透かし技術を用いて透かし印刷を行う（ステップb0100）。透かし印刷と連携して、印刷物管理装置では印刷物のステータスを管理する（ステップb0300）。印刷物を裁断する時は、印刷物から透かしIDを検出し、印刷物と裁断対象物が一致することを確認し、裁断する（ステップc0100）。裁断後、印刷物管理装置で管理している印刷物のステータスを変更する（ステップc0300）。作業者がセキュアルームから退室する際は、該当者が印刷した全ての印刷物が裁断済みであることを確認することによりドアが開く。【選択図】  図２
2007310605.tif 000002
【特許請求の範囲】
【請求項１】
特定エリアへの入退出制御方法において、
前記特定エリアへの入退出を制御する入退出制御装置と、前記特定エリアに設置され利用者の指示に応じて印刷指示を出力するコンピュータ装置と、前記印刷指示に基づいて印刷を実行する印刷装置が接続され、
前記入退出制御装置は、前記印刷指示を検知し、
前記印刷装置は、前記印刷指示に応じた電子透かしを、印刷物に埋め込んで印刷を行い、
前記入退出制御装置は、前記電子透かしを用いて当該印刷物が廃棄された否かを検知し、当該検知の結果に基づいて、前記特定エリアへの入退出を制御する制御信号を出力することを特徴とする入退出制御方法。
【請求項２】
請求項１に記載の入退出制御方法において、
前記入退出制御装置は、廃棄される印刷物の画像を取り込むスキャナを有する廃棄装置と接続され、
前記入退出制御装置は、前記廃棄装置から前記スキャナが取り込んだ電子透かしに対応する電子透かし関連情報を受信し、受信した前記電子透かし関連情報に対する利用者を特定し、特定された利用者に対する前記特定エリアからの退出を許可する前記制御信号を出力することを特徴とする入退出制御方法。
【請求項３】
請求項２に記載の入退出制御方法において、
前記コンピュータ装置は、利用者を識別する利用者識別情報を含む印刷指示を出力し、
前記印刷装置は、前記印刷を実行した場合に、を前記電子透かし関連情報および当該印刷の印刷指示に含まれる利用者識別情報を、前記入退出制御装置に送信し、
前記入退出制御装置は、送信された前記利用者識別情報および前記電子透かし関連情報を対応付けた対応テーブルを記憶装置に記憶し、
前記入退出制御装置は、前記電子透かし関連情報を、前記廃棄装置から受信した場合に、受信した電子透かし関連情報に対応する前記記憶装置に記憶された電子透かし情報を検索し、検索された電子透かし情報に対応する利用者に対する対する前記特定エリアからの退出を許可する前記制御信号を出力することを特徴とする入退出制御方法。
【請求項４】
請求項３に記載の入退出制御方法において、
前記入退出制御装置は、検索された電子透かし関連情報および対応する利用者識別情報を消去し、
前記入退出制御装置は、利用者が退出を希望する際、当該利用者の利用者識別情報の入力を受付け、受付けられた前記利用者識別情報が前記対応テーブルに含まれるか検知し、含まれない場合に、前記特定エリアからの退出を許可する前記制御信号を出力することを特徴とする入退出制御方法。
【請求項５】
請求項１乃至４のいずれかに記載の入退出制御方法において、
前記印刷装置は、前記電子透かし関連情報として、埋め込んだ前記電子透かしの数を含む電子透かし関連情報送信し、
前記廃棄装置は、前記スキャナにより取り込んだ前記印刷物に埋め込まれた電子透かしの数を計数し、当該計数された数を含む電子透かし関連情報を前記入退出制御装置に送信し、
前記入退出制御装置は、前記印刷装置から送信された数と前記廃棄装置から送信された数を比較することで、前記印刷物が廃棄されたことを検知することを特徴とする入退出制御方法。
【請求項６】
請求項１乃至５のいずれかに記載の入退出制御方法において、
前記電子透かし関連情報には、当該印刷で埋め込んだ電子透かしを特定する電子透かし情報、当該印刷を識別する印刷識別情報および当該電子透かし自体のうち少なくとも１つが含まれることを特徴とする入退出制御方法。
【発明の詳細な説明】
【技術分野】
【０００１】
本発明は、印刷物を含む媒体を介した情報漏洩の検知、情報漏洩を減少するための技術に関する。その中でも、特に情報漏洩の可能性がある場合に、所定のエリアに対する入退出を管理（もしくは制御）する技術に関する。
【背景技術】
【０００２】
現在、組織における機密情報（営業秘密など）の漏洩が問題になっている。この漏洩を防止する方法として、特許文献１が提案されている。一形態として機密情報の従来、ソフトウエアやいわゆるシステムの対価を計算する場合、取引を仲介するものとしては、特許文献１がある。特許文献１には、営業秘密等の不正帯出を防止するための技術が開示されている。その内容は、書類、フロッピー（フロッピーは登録商標）などの物品に「共振タグ」を装着しておき、また、ドアなどにこの共振タグを検知する検知装置を埋め込んでおき、その傍らを共振タグが通過した際、検知装置で検知して、不正帯出を防止するものである。
【０００３】
また、従来からＩＣカードなどを用いて、特定のエリアへの入退出が行われている。例えば、特許文献２によれば、入退出者はＩＣカードを携帯し（履物に設置）、ドアの前に入退出者が移動すると、ＩＣカードからリーダライタが識別情報を読み取り、この識別データに対する照合処理の結果に基づき、ドアの制御を行う。
【０００４】
また、デジタルコンテンツの不正利用を監視する技術として、特許文献３がある。特許文献３によれば、電子透かしを配信対象のデジタルコンテンツに挿入し、このデジタルコンテンツの利用に関するライセンス定義情報を用いて、不正利用の監視を行う。
【０００５】
【特許文献１】特開平７−３０６９８７号公報
【特許文献２】特開２００１−１０１５５１号公報
【特許文献３】特開２０００−２０６００号公報
【発明の開示】
【発明が解決しようとする課題】
【０００６】
しかしながら、特許文献１および２においては、ＩＣタグのような特別な製品を、人毎もしくは物品毎に用意する必要がある。また、特許文献１においては、印刷を行って持ち出す場合に関しては、考慮されていない。つまり、ライセンス定義情報として、印刷可能との情報を含めた場合でも、通常、第３者に開示できることまでは想定しておらず、印刷をして持ち出されてしまうおそれがある。
【０００７】
また、現在、機密情報を取り扱う特別な部屋を用意しておき、ここでのみ機密情報を取り扱うようにすることが行われている。この場合、この部屋で印刷を行い、そのまま部屋外に印刷物をそのまま持ち出されてしまうとの問題が生じるおそれがある。
【課題を解決するための手段】
【０００８】
そこで、本発明では、コンピュータを用いて、印刷に関連する印刷関連情報を検知し、印刷物に電子透かしを埋め込んで印刷を行い、この電子透かしを用いて当該印刷物が廃棄された否かを検知し、この結果に基づいて、特定エリアへの入退出を制御する。
【０００９】
なお、印刷関連情報には、印刷されたことを示す情報（もしくは印刷指示情報）、印刷に関与する印刷関与者を特定するための印刷関与者ＩＤを含めてもよい。ここで、印刷関与者ＩＤとしては、印刷指示を行った者を特定する情報、その指示を行った者が使用したコンピュータ、印刷物を利用する者を特定する情報、もしくはこれらのものと同じ組織（上長を含む）に属する者としてもよい。
【発明の効果】
【００１０】
本発明によれば、印刷物の持ち出しなど情報漏洩を、減少することが可能になる。
【発明を実施するための最良の形態】
【００１１】
以下、本発明の実施の形態を詳細に説明する。
図1は、本発明におけるシステム構成図である。図2は、本発明を実現する為の全体フローチャートであり、 (a)入室時(b)印刷時(c)裁断時(d)退室時の４つのパートに分けられる。図3は、図2の全体フローチャートにおいて、各処理のデータフローを示したシーケンス図である。図4、図5、図6は、本発明において核となる、「印刷内容と裁断内容の一致を確認する方法」に関して記載した詳細フローチャートである。印刷内容と裁断内容の一致を確認する為には、(b)印刷時(c)裁断時の両面で工夫する必要がり、各図はそれぞれ2つのフローチャートより成り立っている。図7は、印刷物管理装置s40が保持する印刷物管理テーブルであり、「印刷者名」「印刷識別子」「ステータス」など印刷関連情報を一元管理することが可能である。
【００１２】
図1において、本発明にて使用する機器はセキュアルーム（特定エリアの一種）内に存在している。セキュアルームとは、コントロールされたアクセス・ファシリティであり、権限のないユーザからの物理アクセスを防ぐことを可能とする部屋である。PCs1xは、セキュアルーム内での業務に利用するコンピュータであり、必要に応じて印刷を実行する。PCs1xには、透かし印刷アプリケーションが事前にインストールされており、透かし印刷時における制御を実施する。プリンタs20は、PCs1xからの印刷要求に応じて、印刷物を出力するプリンタである。スキャナ機能付きシュレッダーs30は、スキャナ機能とシュレッダー機能が一体になった機器であり、スキャナ機能とシュレッダー機能を分離させたり、裁断を途中で停止させることは、物理的に出来ない仕組みとなっている。スキャナ機能付きシュレッダーs30には事前に透かし検証アプリケーションがインストールされており、裁断時における制御を実施する。印刷物管理装置s40は、印刷物管理テーブルにおいて印刷物のステータスなど印刷関連情報を、一元管理しているサーバ機器である。入退室管理装置s50は、入退室の状況などを管理するサーバ機器であり、本発明においては印刷物管理装置s40と連携することにより、ドアs60の開閉を制御する。各コンピュータは、ネットワークを介して互いに接続されている。また、各コンピュータは、メモリ、ハードディスクを含む記憶装置、ＣＰＵなどの処理装置を有し、記憶装置に格納されたプログラムに従って、処理装置が情報処理を実行するものである。なお、ここでいうコンピュータとは,ＰＣｓ１ａ、ｓ１ｂ、印刷物管理装置ｓ４０、入退室管理装置ｓ５０が含まれる。また、ドアｓ６０、プリンタｓ２０、スキャナ付シュレッダーｓ３０の各々は、コンピュータのいずれかと一体化され、その機能を達成してもよい。また、構成要件としてコンピュータと同様の情報処理機能を有し、情報処理を実行してもよい。
【００１３】
次に図2のフローチャートに基づいて、本実施形態の処理の流れを説明する。まず,(a)により入室時の処理の内容を説明する。
まず、入室者に対する生体認証などの認証装置（図示せず）により本人認証を行い（ステップa0100）、入室が許可された人物と認められた場合は、ドアs60の鍵を開錠させ入室が可能となり、入室する（ステップa0200）。この場合、認証装置は入退室管理装置s50に対して入室者情報を送信し（ステップa0300）、入退室管理装置s50にて入退室状況を管理する（ステップa0400）。ここで、入退室情報には、入室者を特定する入室者識別情報であり、図７に示す印刷者ＩＤと同じものを使用してもよい。この入室者識別情報は、認証装置に対して入力されたものを用いる。
【００１４】
これらの処理は、以下のとおり実行してもよい。ステップａ0100において、認証装置は、入室希望者から生体情報を読み取る。また、入室希望者からＩＣカードの挿入も受付ける。そして、入力された生体情報とＩＣカード内の生体情報を比較して認証を行う。ここで、認証可と判断した場合には、ステップa0200において、認証装置はドアs60に対して開錠を指示する開錠情報を送信する。この結果、ドアs60は施錠をとき、開錠する。また、ステップa0300において、認証装置は、入退室管理装置s50にＩＣカードから、カードホルダを識別する情報として記憶される入室者識別情報を読み取り、これを入退室管理装置ｓ５０に送信する。次に、ステップa0400において、入退室管理装置では、入室者識別情報を受信し、図８に示す入退出者管理テーブルのうち、受信した入室者識別情報に対応する従業員コードの「入室」の欄に入室を示すフラグ「１」を立てる。本例では、User１との情報が送信され、対応する「入室」欄に「１」のフラグが立っている。
【００１５】
なお、受信した入室者識別情報が入退出管理テーブルに格納されていない場合、認証装置にそのことを示す情報を送信してもよい。そして、このような制御を行う場合、認証装置では、これを受信した際には、ステップa0200において、開錠情報の送信を抑止する（仮に生体認証が可となっても）。
【００１６】
また、このように、フラグを立てた場合、「１」の従業員コードを優先的に処理されるようソートしておいてもよい。また、受信した入室者識別情報をテーブルに記録していく制御を行ってもよい。
【００１７】
PCs1xにて印刷を行う際は、透かし印刷アプリケーションにて透かし印刷を実施し、プリンタs20より紙が出力される（ステップb0100）。「印刷内容と裁断内容の一致を確認する方法」の実施形態によって、透かし印刷の方法が変わる。各方式の透かし印刷の詳細フローに関しては、後述する。印刷後、PCs1xは印刷情報を印刷物管理装置s40に通知する（ステップb0200）。印刷情報通知に関しても、実施形態ごとに通知するデータは異なる為、詳細は後述する。印刷物管理装置s40は、受領した情報をもとに、印刷物管理テーブルのステータスを“印刷”に設定するなど印刷情報を一元的に管理する（ステップb0300）。
【００１８】
印刷物を裁断する際は、スキャナ機能付きシュレッダーs30のスキャナ機能にて印刷物を電子化する。電子化した画像データより透かしを検出するなど各種処理を施すことによって、印刷時に出力した印刷物とスキャンした印刷物の内容が一致することを確認する。「印刷内容と裁断内容の一致を確認する方法」の実施形態によって、確認方法が変わってくる。各実施形態の確認方法の詳細フローに関しては、後述する。内容が一致したと判断すると、スキャナ機能付きシュレッダーs30のシュレッダー機能にて、裁断用の刃を起動させ紙を裁断する（ステップc0100）。裁断が完了すると、スキャナ機能付きシュレッダーs30は印刷物管理装置s40に裁断完了の通知を送付する（ステップc0200）。印刷物管理装置s40は、印刷物管理テーブルのステータスを“裁断”に変更する（ステップc0300）。
退出する際、作業者は生体認証などの認証装置により本人認証を行い（ステップd0100）、入退室管理装置s50に問い合わせることにより、退室を許可する人物であることを確認する（ステップd0200）。次に、印刷物管理装置s40に問い合わせ、退室者が印刷した全ての印刷物のステータスが“裁断”となっていることを確認する（ステップd0300）。退室可能であると判断された場合は、ドアs60の鍵を開錠させ退室が可能となる（ステップd0400）。退室後、認証装置は入退室管理装置s50に対して退室者情報を通知し(ステップd0500)、入退室管理装置s50にて入退室情報の更新を行う（ステップd0600）
図4の詳細フローチャートに基づいて、印刷内容と裁断内容の一致を確認する方法の第1の実施形態を説明する。
印刷の際、印刷者はPCs1xを操作し印刷要求を行う（ステップb0111）。印刷要求を受け付けた透かし印刷アプリケーションは、印刷物管理装置s40に印刷識別子を問い合わせる（ステップb0112）。印刷識別子とは、全ての印刷物においてユニークとなるシリアル番号である。印刷物管理装置s40では、印刷識別子を生成しPCs1xに応答する（ステップb0113）。PCs1xでは、透かし印刷アプリケーションによって印刷対象データに透かしを埋め込む領域が存在するか、を確認する（ステップb0114）。第1の実施形態では電子透かし技術を用いる。電子透かしの埋め込み可能領域とは、「一定の情報を含んだ約5cm四方の領域」を示し、埋め込み可否は透かし印刷アプリケーションが自動的に判定する。埋め込み可能領域が存在する場合、透かしIDを作成する（ステップb0115）。
【００１９】
透かしIDとは、印刷識別子と領域識別子をつなぎ合わせたものである。領域識別子とは、透かし埋め込み可能領域の番号である。例えば、透かし埋め込み可能領域が10個存在した場合、領域識別子は1番〜10番となる。次に、作成した透かしIDを電子透かし技術を用いて透かし埋め込み可能領域に埋め込む（ステップb0116）。印刷対象データの中に透かし埋め込み可能領域が無くなるまで、ステップb0114からステップb0116を繰り返し実行する。透かし埋め込み領域がなくなると、透かし情報を埋め込んだ印刷対象データをプリンタへ送付し印刷する（ステップb0116）。印刷完了後、透かし印刷アプリケーションは、印刷物管理装置s40に対して、次の印刷情報を通知する（ステップb0211）。(1)印刷者名、(2)印刷識別子、(3)領域識別子の最大値、(4)印刷対象データのファイル名又は印刷画像データ、(5)ステータス。ここで、(5)ステータスとして“印刷”を通知する。印刷情報を受け取った印刷物管理装置s40は、印刷物管理テーブルに印刷情報を登録する（ステップb0311）。
【００２０】
印刷物を裁断する場合は、スキャナ機能付きシュレッダーs30のスキャナ機能にて印刷物を電子化する（ステップc0111）。透かし検証アプリケーションは、電子化した画像データから透かし検出が可能な領域が存在するか、を確認する（ステップc0112）。透かし検出可能領域が存在する場合、電子透かし検証技術を用いて透かしIDを検出し、検出した透かしIDを記憶しておく（ステップc0113）。透かし検出可能領域が無くなるまで、ステップc0112からステップc0113を繰り返し実行する。透かし検出可能領域がなくなると、検出した透かしIDを解析し、全てのIDにおける印刷識別子が一致することを確認する（ステップc0114）。次に、検出した透かしIDの領域識別子が1番からの連番になっていることを確認する（ステップc0115）。
【００２１】
透かし検証アプリケーションは、印刷物管理装置s40に“印刷識別子”を送付し、“領域識別子の最大値”を問い合わせる（ステップc0116）。印刷物管理装置s40は、受領した“印刷識別子”をキーとして印刷物管理テーブルを検索し、“領域識別子の最大値”をPCs1xに応答する（ステップc0117）。透かし検証アプリケーションは、透かし検出で得た“領域識別子の最大値”と印刷物管理装置s40より受領した“領域識別子の最大値”を比較し、一致することを確認する（ステップc0118）。ここまでの過程でエラーになる場合は、印刷したデータと裁断したデータが一致しないと言える。エラーが発生しなかった場合は、スキャナ機能付きシュレッダーs30のシュレッダー機能にて、裁断用の刃を起動させ紙を裁断する（ステップc0119）。裁断が完了すると、スキャナ機能付きシュレッダーs30は印刷物管理装置s40に“印刷識別子”と共に裁断完了の通知を送付する（ステップc0211）。印刷物管理装置s40は、受領した“印刷識別子”をキーとして印刷物管理テーブルを検索し、該当印刷物のステータスを“裁断”に変更する（ステップc0311）。
【００２２】
図5の詳細フローチャートに基づいて、印刷内容と裁断内容の一致を確認する方法の第2の実施形態を説明する。
【００２３】
印刷時、印刷者はPCs1xを操作し印刷要求を行う（ステップb0121）。印刷要求を受け付けた透かし印刷アプリケーションは、印刷物管理装置s40に印刷識別子を問い合わせる（ステップb0122）。印刷識別子とは、全ての印刷物においてユニークとなるシリアル番号である。印刷物管理装置s40では、印刷識別子を生成しPCs1xに応答する（ステップb0123）。第2の実施形態では地紋透かし技術を利用する為、地紋透かしIDを作成する（ステップb0124）。地紋透かし技術は大容量のデータを埋め込むことが可能である為、透かしIDには、印刷識別子が最低限必要であるが、その他の情報として印刷者、印刷日時などの付加情報を含めても構わない。地紋透かし技術を用いて、透かしIDを印刷対象データに埋め込む（ステップb0125）。地紋透かし技術の特徴として、１つの透かしIDを印刷対象データ全面に対して埋め込むことが可能であり、今回はこの方法を適用する。透かし情報を埋め込んだ印刷対象データをプリンタへ送付し印刷する（ステップb0126）。印刷完了後、透かし印刷アプリケーションは、印刷物管理装置s40に対して、次の印刷情報を通知する（ステップb0221）。(1)印刷者名、(2)印刷識別子、(3)印刷対象データのファイル名又は印刷画像データ、(4)ステータス。ここで、(4)ステータスとして“印刷”を通知する。印刷情報を受け取った印刷物管理装置s40は、印刷物管理テーブルに印刷情報を登録する（ステップb0321）。
【００２４】
印刷物を裁断する場合は、スキャナ機能付きシュレッダーs30のスキャナ機能にて印刷物を電子化する（ステップc0121）。透かし検証アプリケーションは、電子化した画像データから地紋透かし検証技術を用いて透かしIDを検出する（ステップc0122）。透かし検出においてエラーになる場合は、印刷したデータと裁断したデータが一致しないと言える。エラーが発生しなかった場合は、スキャナ機能付きシュレッダーs30のシュレッダー機能にて、裁断用の刃を起動させ紙を裁断する（ステップc0124）。裁断が完了すると、スキャナ機能付きシュレッダーs30は印刷物管理装置s40に“印刷識別子”と共に裁断完了の通知を送付する（ステップc0221）。印刷物管理装置s40は、受領した“印刷識別子”をキーとして印刷物管理テーブルを検索し、該当印刷物のステータスを“裁断”に変更する（ステップc0321）。
【００２５】
図6の詳細フローチャートに基づいて、印刷内容と裁断内容の一致を確認する方法の第3の実施形態を説明する。
【００２６】
印刷時、印刷者はPCs1xを操作し印刷要求を行う（ステップb0131）。印刷要求を受け付けた透かし印刷アプリケーションは、印刷物管理装置s40に印刷識別子を問い合わせる（ステップb0132）。印刷識別子とは、全ての印刷物においてユニークとなるシリアル番号である。印刷物管理装置s40では、印刷識別子を作成し印刷PCs1xに応答する（ステップb0133）。第3の実施形態では電子透かし技術及び地紋透かし技術のどちらでも対応可能であるが、ここでは電子透かし技術を用いた場合に関して説明する。透かし印刷アプリケーションは、受領した印刷識別子に基づき電子透かしIDを作成する（ステップb0134）。電子透かし技術は約5cm四方の埋め込み可能領域に対して透かしを埋め込み、印刷対象データ内に埋め込み可能領域が存在する限り繰り返し透かしを埋め込む。今回は、同一の透かしIDを全ての埋め込み可能領域に対して繰り返し埋め込む（ステップb0135）。透かし情報を埋め込んだ印刷対象データをプリンタへ送付し印刷する（ステップb0136）。印刷完了後、透かし印刷アプリケーションは、印刷物管理装置s40に対して、次の印刷情報を通知する（ステップb0231）。
【００２７】
(1)印刷者名、(2)印刷識別子、(3)印刷画像データ、(4)ステータス。ここで、(4)ステータスとして“印刷”を通知する。印刷情報を受け取った印刷物管理装置s40は、印刷物管理テーブルに印刷情報を登録する（ステップb0331）。
【００２８】
印刷物を裁断する場合は、スキャナ機能付きシュレッダーs30のスキャナ機能にて印刷物を電子化する（ステップc0131）。透かし検証アプリケーションは、電子化した画像データから電子透かし検証技術を用いて透かしIDを検出する（ステップc0132）。第3の実施形態では、同一の透かしIDが多数の領域に埋め込まれているので、最初に検出できた透かしIDを用いてこの後の処理を実行する。透かし検証アプリケーションは、透かしIDを解析し、印刷識別子を取り出す。そして、印刷物管理装置s40に“印刷識別子”を送付し、“印刷画像データ”を要求する（ステップc0133）。印刷物管理装置s40は、“印刷識別子”をキーに印刷物管理テーブルを検索し、該当する印刷物の“印刷画像データ”を応答する（ステップc0134）。スキャナ機能で電子化した画像データと印刷物管理装置s40より受領した印刷画像データを、画像マッチング技術により比較する（ステップc0135）。画像マッチングにより比較し、不一致と判定された場合は、印刷したデータと裁断したデータが一致しないと言える。一致と判定された場合は、スキャナ機能付きシュレッダーs30のシュレッダー機能にて、裁断用の刃を起動させ紙を裁断する（ステップc0136）。裁断が完了すると、スキャナ機能付きシュレッダーs30は印刷物管理装置s40に“印刷識別子”と共に裁断完了の通知を送付する（ステップc0231）。
【００２９】
印刷物管理装置s40は、受領した“印刷識別子”をキーとして印刷物管理テーブルを検索し、該当印刷物のステータスを“裁断”に変更する（ステップc0331）。
【図面の簡単な説明】
【００３０】
【図１】本発明におけるシステム構成図
【図２】本発明を実現する為の全体フローチャート
【図３】全体フローチャートにおけるデータフローを示したシーケンス図
【図４】「印刷内容と裁断内容の一致を確認する方法」の詳細フローチャート1
【図５】「印刷内容と裁断内容の一致を確認する方法」の詳細フローチャート２
【図６】「印刷内容と裁断内容の一致を確認する方法」の詳細フローチャート３
【図７】印刷物管理テーブル
【図８】入退出者管理テーブル
【符号の説明】
【００３１】
s1a…PC
s2b…PC
s20…プリンタ
s30…スキャナ機能付シュレッダー
s40…印刷物管理装置
s50…入退室管理装置
s60…ドア
【図１】
2007310605.tif 000003
【図２】
2007310605.tif 000004
【図３】
2007310605.tif 000005
【図４】
2007310605.tif 000006
【図５】
2007310605.tif 000007
【図６】
2007310605.tif 000008
【図７】
2007310605.tif 000009
【図８】
2007310605.tif 000010